(57)【要約】【課題】現在オフィスで広く利用されているプリンタで印字出力が可能（基本的に片面印字）であって、かつ、簡単な作業で印字した情報を隠蔽することができる印字情報を隠蔽可能な帳票を提供する。【解決手段】第１実施形態の帳票１０は、第１及び第２のシート１１，１２が重ね合わせられた状態で、第１のシート１１の隠蔽情報印字領域Ｘと公開情報印字領域Ｙとに印字する。ついで、隠蔽情報印字領域Ｘを隠蔽するように第１のシート１１を、ミシン目ｍ１で折り畳む。最後に、第２のシート１２をミシン目ｍ１で折り畳んで、貼り合わせることによって、第１のシート１１が折り畳まれた状態を保持する。【選択図】        図２
2004160721.tif 000002
【特許請求の範囲】
【請求項１】
隠蔽情報を印字する隠蔽情報印字領域を有する第１のシートと、
前記第１のシートに折り畳まれ又は積層されて重ね合わせられ、少なくとも一部に前記第１のシートを貼り合わせる再剥離再貼付可能な粘着剤層を有する第２のシートとを備え、
前記第１及び第２のシートが重ね合わせられた状態で、前記第１のシートの前記隠蔽情報印字領域に印字し、前記隠蔽情報印字領域を隠蔽するように前記第１のシートを折り畳んで、前記第２のシートを貼り合わせることによって、前記第１のシートの折り畳まれた状態を保持すること、
を特徴とする印字情報を隠蔽可能な帳票。
【請求項２】
請求項１に記載の印字情報を隠蔽可能な帳票において、
前記第１のシートは、前記隠蔽情報印字領域について、略３等分以上に折り畳むための第１の折曲げ予定線が設けられ、
前記第２のシートは、前記第１のシートの前記隠蔽情報印字領域に対応する領域について、略２等分に折り畳むための第２の折曲げ予定線が設けられていること、
を特徴とする印字情報を隠蔽可能な帳票。
【請求項３】
請求項１又は請求項２に記載の印字情報を隠蔽可能な帳票において、
前記第２のシートは、前記粘着剤層が周縁部に形成されていること、
を特徴とする印字情報を隠蔽可能な帳票。
【請求項４】
請求項１から請求項３までのいずれか１項に記載の印字情報を隠蔽可能な帳票において、
前記第２のシートは、前記第１のシートとの剥離の切っ掛けとなる切欠部が形成されていること、
を特徴とする印字情報を隠蔽可能な帳票。
【請求項５】
請求項１から請求項４までのいずれか１項に記載の印字情報を隠蔽可能な帳票において、
前記第１のシートは、前記第２のシートの前記粘着剤層の粘着代分小さなサイズであること、
を特徴とする印字情報を隠蔽可能な帳票。
【請求項６】
請求項１に記載の印字情報を隠蔽可能な帳票において、
前記第１のシートは、前記隠蔽情報印字領域について、略２等分に折り畳むための第１の折曲げ予定線が設けられ、
前記第２のシートは、前記第１のシートの上面に重ね合わせられるように配置され、表側に公開情報を印字する公開情報印字領域を有する、前記第１のシートの１／２以下のサイズのシートであり、
前記第１及び第２のシートが重ね合わせられた状態で、前記第１のシートの前記隠蔽情報印字領域と前記第２のシートの公開情報印字領域に印字し、前記隠蔽情報印字領域を隠蔽するように前記第１のシートを折り畳んで、その端部を前記第２のシートで貼り合わせることによって、前記第１のシートの折り畳まれた状態を保持すること、
を特徴とする印字情報を隠蔽可能な帳票。
【請求項７】
請求項１から請求項６までのいずれか１項に記載の印字情報を隠蔽可能な帳票において、
前記第１又は第２のシートのうちで表側になるシートは、公開情報を印字する公開情報印字領域を有し、
前記第１又は第２のシートが折り畳まれた状態で、前記公開情報印字領域を隠蔽しないように貼り合せるための指標部を設けたこと、
を特徴とする印字情報を隠蔽可能な帳票。
【発明の詳細な説明】
【０００１】
【発明の属する技術分野】
本発明は、印字情報を隠蔽可能な帳票に関するものである。
【０００２】
【従来の技術】オフィスのＩＴ化は、凄まじい勢いで浸透しており、今や企業の大小を問わず、幅広い企業規模、業種でＩＴが導入されている。当然、「ＩＴ化」という言葉の示す範囲は広く、そのレベルは様々であるが、極端なことを言えば、パソコン一台あれば最低限の「ＩＴ化」と捉えられ、要は様々な資料等をデータとしてデジタル化している状態、と言うことができるであろう。
さて、そういった流れの中で、今や取引先に提出する見積書や提案書といった様々な文書は、すべてワープロや専用ソフトで作製されるようになった。これらは、メールで送信される場合もあるが、取引先の事情等もあって、プリンタで出力される場合も少なくなく、パソコンがあれば同時にプリンタも導入されている場合が一般的である。
【０００３】
プリンタ機種には、様々な方式があるが、中小規模の企業であれば、モノクロの小型ＬＢＰ（コピー機と一体化したハイブリッド機を含む）が多い。小型ＬＢＰは、トナーを使用しており、退色や消色といった面に強く、オフィシャルな文書には好適に使用されている。
また、例えば、プレゼン資料や提案書のためにカラー文書を出力する場合には、インクジェット方式が多い。インクジェットプリンタは、小型でＬＢＰより低速なものが多いが、ハードが安価であるため、家庭を含めてカラープリンタのスタンダードとなっている。
このインクジェットプリンタは、インキが水性染料主体であるため、耐水性、耐候性（耐光性）が悪く、また、用紙によってはフェザリングと呼ばれる滲みを生じたりするために、これらを改善するための専用紙を使用する必要がある等の課題もあるが、費用対効果の面で、現時点では完全なるスタンダードと言える。とは言え、カラーＬＢＰも低コスト化が進んできており、今後オフィスでの主役となるのはこちらであろう。
【０００４】
このオフィスのＩＴ化は、様々な面へ展開され、現時点では勤務管理、給与管理、交通費の精算等々と、およそ企業活動とは切ってもきれない関係になってきている。これらは、これまで企業側が「紙」ベースで保管していたものを「デジタルデータ」で保管する、というスタイルにつながってきた。
例えば、給与明細書は、毎月社員に配布されるが、これまでノーカーボン紙を利用して、企業側の控えと、本人へ明細書を同時に印字出力していたのだが、現在では、ノーカーボン紙で複写可能なドットインパクトプリンタ自身が少なくなってきた（費用対効果の点で前述したプリンタより見劣りする）ため、ＬＢＰで２回同じデータを印字したり、あるいは、前述したとおり「デジタルデータによる保管」を行うことにより、控えを印字しないようにしている。
【０００５】
【発明が解決しようとする課題】
しかし、ここで、一つ問題が生じてきた。前述したノーカーボン紙を使用する場合は、例えば、袋の中にノーカーボンボトム紙、袋の外に企業側の控え片を設けた製袋帳票を利用することもあったのだが、ＬＢＰやＩＪＰでは袋の中に印字できないため、出力した用紙を折畳んだり、切り取って別途用意した封筒に封入する必要が生じてきたのである。
このとき、封筒は高価な窓空きタイプのものを使用しないと、外から誰の給与明細書かが判別できず、作業性が著しく劣るばかりでなく、誤配した場合には同僚に見られてしまうため、社員によっては嫌がられていた。
一方、例えば、Ａ４定型コピー用紙のような白紙に印字した書類をそのまま渡されるだけだと、配布される人に懐具合を詮索されたり、離席中には、不特定多数に見られるといった不快感があった。
【０００６】
本発明の課題は、現在オフィスで広く利用されているプリンタで印字出力が可能（基本的に片面印字）であって、かつ、簡単な作業で印字した情報を隠蔽することができる印字情報を隠蔽可能な帳票を提供することである。
【０００７】
【課題を解決するための手段】
前記課題を解決するために、請求項１の発明は、隠蔽情報を印字する隠蔽情報印字領域を有する第１のシートと、前記第１のシートに折り畳まれ又は積層されて重ね合わせられ、少なくとも一部に前記第１のシートを貼り合わせる再剥離再貼付可能な粘着剤層を有する第２のシートとを備え、前記第１及び第２のシートが重ね合わせられた状態で、前記第１のシートの前記隠蔽情報印字領域に印字し、前記隠蔽情報印字領域を隠蔽するように前記第１のシートを折り畳んで、前記第２のシートを貼り合わせることによって、前記第１のシートの折り畳まれた状態を保持すること、を特徴とする印字情報を隠蔽可能な帳票である。
【０００８】
請求項２の発明は、請求項１に記載の印字情報を隠蔽可能な帳票において、前記第１のシートは、前記隠蔽情報印字領域について、略３等分以上に折り畳むための第１の折曲げ予定線が設けられ、前記第２のシートは、前記第１のシートの前記隠蔽情報印字領域に対応する領域について、略２等分に折り畳むための第２の折曲げ予定線が設けられていること、を特徴とする印字情報を隠蔽可能な帳票である。
【０００９】
請求項３の発明は、請求項１又は請求項２に記載の印字情報を隠蔽可能な帳票において、前記第２のシートは、前記粘着剤層が周縁部に形成されていること、を特徴とする印字情報を隠蔽可能な帳票である。
【００１０】
請求項４の発明は、請求項１から請求項３までのいずれか１項に記載の印字情報を隠蔽可能な帳票において、前記第２のシートは、前記第１のシートとの剥離の切っ掛けとなる切欠部が形成されていること、を特徴とする印字情報を隠蔽可能な帳票である。
【００１１】
請求項５の発明は、請求項１から請求項４までのいずれか１項に記載の印字情報を隠蔽可能な帳票において、前記第１のシートは、前記第２のシートの前記粘着剤層の粘着代分小さなサイズであること、を特徴とする印字情報を隠蔽可能な帳票である。
【００１２】
請求項６の発明は、請求項１に記載の印字情報を隠蔽可能な帳票において、前記第１のシートは、前記隠蔽情報印字領域について、略２等分に折り畳むための第１の折曲げ予定線が設けられ、前記第２のシートは、前記第１のシートの上面に重ね合わせられるように配置され、表側に公開情報を印字する公開情報印字領域を有する、前記第１のシートの１／２以下のサイズのシートであり、前記第１及び第２のシートが重ね合わせられた状態で、前記第１のシートの前記隠蔽情報印字領域と前記第２のシートの公開情報印字領域に印字し、前記隠蔽情報印字領域を隠蔽するように前記第１のシートを折り畳んで、その端部を前記第２のシートで貼り合わせることによって、前記第１のシートの折り畳まれた状態を保持すること、を特徴とする印字情報を隠蔽可能な帳票である。
【００１３】
請求項７の発明は、請求項１から請求項６までのいずれか１項に記載の印字情報を隠蔽可能な帳票において、前記第１又は第２のシートのうちで表側になるシートは、公開情報を印字する公開情報印字領域を有し、前記第１又は第２のシートが折り畳まれた状態で、前記公開情報印字領域を隠蔽しないように貼り合せるための指標部を設けたこと、を特徴とする印字情報を隠蔽可能な帳票である。
【００１４】
【発明の実施の形態】
以下、図面等を参照して、本発明の実施の形態について、さらに詳しくに説明する。
（第１実施形態）
図１は、本発明による印字情報を隠蔽可能な帳票の第１実施形態を模式的に示す図、図２は、第１実施形態に係る印字情報を隠蔽可能な帳票の使用方法を示す図である。
第１実施形態の帳票１０は、１枚目の第１のシート１１と、２枚目の第２のシート１２とを備えている。
【００１５】
第１のシート１１は、図１（ａ１）に示すように、隠蔽情報（例えば、給与明細）を印字する隠蔽情報印字領域Ｘと、公開情報（例えば、給与支給先の氏名）を印字する公開情報印字領域Ｙとを有している。また、第１のシート１１は、隠蔽情報印字領域Ｘについて、略３等分以上に折り畳むための２本のミシン目（第１の折曲げ予定線）ｍ１が設けられている。
第１のシート１１には、折り畳まれた状態で、公開情報印字領域Ｙを隠蔽しないように貼り合せるための指標部１４が設けられている。
【００１６】
第２のシート１２は、図１（ｂ１），（ｃ１）に示すように、第１のシート１１に積層されて重ね合わせられ、少なくとも一部（この実施形態では、周縁部）に、第１のシート１１を貼り合わせる再剥離再貼付可能な粘着剤層１３を有している。また、第２のシート１２は、第１のシート１１の隠蔽情報印字領域Ｘに対応する領域Ｘ２について、略２等分に折り畳むための１本のミシン目（第２の折曲げ予定線）ｍ２が設けられている。
【００１７】
なお、第２のシート１２は、図１（ａ２），（ｂ２），（ｃ２）に示すように、第１のシート１１との剥離の切っ掛けとなるコーナーカット部（切欠部）１１ａが形成されていることが好ましい。
【００１８】
次に、図２を参照しながら、第１実施形態に係る印字情報を隠蔽可能な帳票１０の使用方法を説明する。
第１実施形態の帳票１０は、図２（ａ）に示すように、第１及び第２のシート１１，１２が重ね合わせられた状態で、図２（ｂ）に示すように、第１のシート１１の隠蔽情報印字領域Ｘと公開情報印字領域Ｙとに印字する。
ついで、図２（ｃ），（ｄ）に示すように、隠蔽情報印字領域Ｘを隠蔽するように第１のシート１１を、２本のミシン目ｍ１で折り畳む。
最後に、図２（ｅ）に示すように、第２のシート１２をミシン目ｍ２で折り畳んで、粘着層１３で貼り合わせることによって、第１のシート１１が折り畳まれた状態を保持することができる。
【００１９】
このように、第１実施形態によれば、以下のような効果がある。
（１）第１のシート１１と第２のシート１２の２枚の用紙が粘着層１３で貼り合わせられているために、プリンタのカセット内での形態が安定する（印字適性が高い）。
（２）第１のシート１１の印字面（隠蔽情報印字領域Ｘ）を内側へ折り畳むことによって、簡易擬似接着方式ながら、外部から中身が見られにくい（牽制効果になる）。
（３）１枚目の第１のシート１１のみを剥がして保管しておくことも可能であり、保管しやすい。
（４）第１及び第２のシート１１，１２に、あらかじめミシン目ｍ１，ｍ２が設けられているため、容易に折り畳みができ、担当者の作業負荷が軽減される。
（５）１枚目の第１のシート１１と２枚目の第２のシート１２を折畳む方式のため、少額かつ紙幣中心であれば、実際に現金を封入することも可能である。
【００２０】
（第２実施形態）
図３は、本発明による印字情報を隠蔽可能な帳票の第２実施形態を模式的に示す図、図４は、第２実施形態に係る印字情報を隠蔽可能な帳票の使用方法を示す図である。
第２実施形態の帳票１０Ｂでは、第１のシート１１は、第２のシート１２の粘着剤層１３の粘着代分小さなサイズであることが、第１実施形態と異なるところである。
この実施形態では、第１のシート１１と第２のシート１２とを、丁合（貼り合せ）した後に、図３（ｄ）に示すように、一回り小さいサイズの第２のシート１２Ｂになるように、ハーフカットｈｃを形成するようにした。
【００２１】
このように、第２実施形態によれば、図４（ｄ）に示すように、第２のシート１２Ｂの印字面を一回り小さくなるように、ハーフカットｈｃから外側の部分（１１Ｂ−１）を粕上げし、内側へ折り畳むことによって、図４（ｅ）に示すように、簡易擬似接着ではあるが、周縁部の粘着層１３がすべて貼り合わせられるため、覗き見されにくい。
【００２２】
（第３実施形態）
図５は、本発明による印字情報を隠蔽可能な帳票の第３実施形態を模式的に示す図、図６は、第３実施形態に係る印字情報を隠蔽可能な帳票の使用方法を示す図である。
第３実施形態の帳票１０Ｃでは、第１のシート１１は、隠蔽情報印字領域Ｘについて、略２等分に折り畳むためのミシン目（第１の折曲げ予定線）ｍ１が設けられている。
第２のシート１２Ｃは、第１のシート１１の上面に重ね合わせられるように配置され、表側に公開情報を印字する公開情報印字領域Ｙを有する、第１のシート１１の１／２以下のサイズのシートである。
【００２３】
次に、図６を参照しながら、第３実施形態に係る印字情報を隠蔽可能な帳票１０Ｃの使用方法を説明する。
第３実施形態の帳票１０Ｃは、図６（ａ）に示すように、第１及び第２のシート１１，１２Ｃが重ね合わせられた状態で、図６（ｂ）に示すように、第１のシート１１の隠蔽情報印字領域Ｘと第２のシート１２Ｃの公開情報印字領域Ｙに印字する。
ついで、図６（ｃ）に示すように、隠蔽情報印字領域Ｘを隠蔽するように第１のシート１１を折り畳んで、図６（ｄ）に示すように、その端部を第２のシート１２Ｃで貼り合わせることによって、図６（ｄ）に示すように、第１のシート１１の折り畳まれた状態を保持する。
【００２４】
このように、第３実施形態によれば、貼り合わせ部分が天側の端部に限定されるため、材料コストが少なくて済むうえ、折畳み自体が簡単である。
【００２５】
（変形形態）
以上説明した実施形態に限定されることなく、種々の変形や変更が可能であって、それらも本発明の均等の範囲内である。
上記各実施形態では、第１及び第２のシート１１，１２は、積層されて重ね合わせられた例で説明したが、１枚のシートを折り畳むようにして、重ね合わせるようにしてもよい。
粘着層１３は、周縁部に形成した例で説明したが、全面に塗布するようにしてもよい。
【００２６】
【発明の効果】
以上詳しく説明したように、本発明によれば、現在オフィスで広く利用されているプリンタで印字出力が可能であって、かつ、簡単な作業で印字した情報を隠蔽することができる、という効果がある。
【図面の簡単な説明】
【図１】本発明による印字情報を隠蔽可能な帳票の第１実施形態を模式的に示す図である。
【図２】第１実施形態に係る印字情報を隠蔽可能な帳票の使用方法を示す図である。
【図３】本発明による印字情報を隠蔽可能な帳票の第２実施形態を模式的に示す図である。
【図４】第２実施形態に係る印字情報を隠蔽可能な帳票の使用方法を示す図である。
【図５】本発明による印字情報を隠蔽可能な帳票の第３実施形態を模式的に示す図である。
【図６】第３実施形態に係る印字情報を隠蔽可能な帳票の使用方法を示す図である。
【符号の説明】
１０  帳票
１１  第１のシート
１２  第２のシート
１３  粘着剤層
１４  指標部
Ｘ  隠蔽情報印字領域
Ｙ  公開情報印字領域
ｍ１  ミシン目（第１の折曲げ予定線）
ｍ２  ミシン目（第２の折曲げ予定線）
【図１】
2004160721.tif 000003
【図２】
2004160721.tif 000004
【図３】
2004160721.tif 000005
【図４】
2004160721.tif 000006
【図５】
2004160721.tif 000007
【図６】
2004160721.tif 000008